【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
出力線と、
出力電圧が印加される出力電圧供給線と、
一端子側が前記出力線と接続され、他端子側が前記出力電圧供給線と接続され、制御端子への入力信号により前記一端子と他端子との間の導通状態が制御されるアクティブ素子と、
前記アクティブ素子の制御端子に一端子が接続されたフォトセンサと、
前記フォトセンサに並列に接続され、前記制御端子側とは反対側の端子に保持電圧が供給される静電容量とを備えていることを特徴とする入力装置。
【請求項２】
複数の前記出力線および出力電圧供給線に加えて複数の走査線が設けられ、
各出力線と各走査線とがマトリクス状に設けられ、
前記アクティブ素子を第１のアクティブ素子としたときに、第１のアクティブ素子と前記出力線との間に、一端子が前記出力線と接続され、他端子が第１のアクティブ素子の一端子と接続され、制御端子への入力信号により前記一端子と他端子との間の導通状態が制御され、前記制御端子が第１の走査線と接続されている第２のアクティブ素子を備えるとともに、
一端子が第１の走査線と接続され、他端子が第１のアクティブ素子の制御端子と接続され、制御端子への入力信号により前記一端子と他端子との間の導通状態が制御され、前記制御端子が第１の走査線と隣り合う第２の走査線に接続された第３のアクティブ素子を備えていることを特徴とする請求項１に記載の入力装置。
【請求項３】
複数の前記出力線および出力電圧供給線に加えて複数対の第１および第２の走査線が設けられ、
各出力線と各対の第１および第２の走査線とがマトリクス状に設けられ、
前記アクティブ素子を第１のアクティブ素子としたときに、第１のアクティブ素子と前記出力線との間に、一端子が前記出力線と接続され、他端子が第１のアクティブ素子の一端子と接続され、制御端子への入力信号により前記一端子と他端子との間の導通状態が制御され、前記制御端子が第１の対における第２の走査線と接続されている第２のアクティブ素子を備えるとともに、
一端子が第１の対における第２の走査線と接続され、他端子が第１のアクティブ素子の制御端子と接続され、制御端子への入力信号により前記一端子と他端子との間の導通状態が制御され、前記制御端子が第１の対に隣り合う第２の対における第１の走査線に接続された第３のアクティブ素子を備えていることを特徴とする請求項１に記載の入力装置。
【請求項４】
前記アクティブ素子はスイッチング素子からなることを特徴とする請求項１から３の何れか１項に記載の入力装置。
【請求項５】
前記フォトセンサは他端子が前記出力電圧供給線と接続されていることを特徴とする請求項１から３の何れか１項に記載の入力装置。
【請求項６】
第２および第３のアクティブ素子を導通動作させる導通信号により前記の各走査線を順次走査する走査線駆動回路を備えていることを特徴とする請求項２または３に記載の入力装置。
【請求項７】
隣り合う複数の前記出力電圧供給線の印加電圧が、段階的に異なる電圧に設定されていることを特徴とする請求項５に記載の入力装置。
【請求項８】
センサ部と電気光学素子により画像の表示を行う表示部とを備え、
前記センサ部は、
出力線と、
出力電圧が印加される出力電圧供給線と、
一端子側が前記出力線と接続され、他端子側が前記出力電圧供給線と接続され、制御端子への入力信号により前記一端子と他端子との間の導通状態が制御されるアクティブ素子と、
前記アクティブ素子の制御端子に一端子が接続されたフォトセンサと、
前記フォトセンサに並列に接続され、前記制御端子側とは反対側の端子に保持電圧が供給される静電容量とを有していることを特徴とする入出力装置。
【請求項９】
前記表示部は前記電気光学素子での表示用のデータ信号を保持する補助容量を備え、
前記補助容量にはその一端子側から前記データ信号が供給され、他端子側から補助容量用電圧供給線より所定の電圧が供給され、
前記補助容量用電圧供給線は前記出力電圧供給線を兼ねていることを特徴とする請求項８に記載の入出力装置。
【請求項１０】
複数の前記出力線および補助容量用電圧供給線に加えて複数の信号線および走査線が設けられ、
各出力線および各信号線と各走査線とがマトリクス状に設けられ、
各補助容量用電圧供給線が各走査線に対応して走査線方向に設けられ、
前記センサ部は、
前記アクティブ素子を第１のアクティブ素子としたときに、第１のアクティブ素子と前記出力線との間に、一端子が前記出力線と接続され、他端子が第１のアクティブ素子の一端子と接続され、制御端子への入力信号により前記一端子と他端子との間の導通状態が制御され、前記制御端子が第１の走査線と接続されている第２のアクティブ素子を備えるとともに、
一端子が第１の走査線と接続され、他端子が第１のアクティブ素子の制御端子と接続され、制御端子への入力信号により前記一端子と他端子との間の導通状態が制御され、前記制御端子が第１の走査線と隣り合う第２の走査線に接続された第３のアクティブ素子を備え、
前記表示部は、
一端子が前記信号線と接続され、他端子が前記補助容量および前記電気光学素子側の回路と接続され、制御端子への入力信号により前記一端子と他端子との間の導通状態が制御され、前記制御端子が第１の走査線と接続された第４のアクティブ素子を備えていることを特徴とする請求項９に記載の入出力装置。
【請求項１１】
センサ部の前記出力線が表示部の信号線を兼ねており、複数の前記出力線および補助容量用電圧供給線に加えて複数対の第１および第２の走査線が設けられ、
各出力線と各対の第１および第２の走査線とがマトリクス状に設けられ、
各補助容量用電圧供給線が各第１および第２の走査線に対応して走査線方向に設けられ、
前記センサ部は、
前記アクティブ素子を第１のアクティブ素子としたときに、第１のアクティブ素子と前記出力線との間に、一端子が前記出力線と接続され、他端子が第１のアクティブ素子の一端子と接続され、制御端子への入力信号により前記一端子と他端子との間の導通状態が制御され、前記制御端子が第１の対における第２の走査線と接続されている第２のアクティブ素子を備えるとともに、
一端子が第１の対における第２の走査線と接続され、他端子が第１のアクティブ素子の制御端子と接続され、制御端子への入力信号により前記一端子と他端子との間の導通状態が制御され、前記制御端子が第１の対に隣り合う第２の対における第１の走査線に接続された第３のスイッチング素子を備え、
前記表示部は、
一端子が前記出力線と接続され、他端子が前記補助容量および前記電気光学素子側の回路と接続され、制御端子への入力信号により前記一端子と他端子との間の導通状態が制御され、前記制御端子が第１対における第１の走査線と接続された第４のアクティブ素子を備えていることを特徴とする請求項９に記載の入出力装置。
【請求項１２】
前記アクティブ素子はスイッチング素子からなることを特徴とする請求項８から１１の何れか１項に記載の入出力装置。
【請求項１３】
前記フォトセンサは他端子が前記出力電圧供給線と接続されていることを特徴とする請求項８から１１の何れか１項に記載の入出力装置。
【請求項１４】
第２から第４のアクティブ素子を導通動作させる導通信号により前記の各走査線を順次走査する走査線駆動回路と、前記信号線に表示用のデータ信号を供給する信号線駆動回路とを備えていることを特徴とする請求項１０に記載の入出力装置。
【請求項１５】
第２から第４のアクティブ素子を導通動作させる導通信号により前記の各走査線を順次走査する走査線駆動回路と、前記出力線に表示用のデータ信号を供給するデータ信号供給回路とを備えていることを特徴とする請求項１１に記載の入出力装置。
【請求項１６】
前記センサ部および表示部を有するセンサ・表示パネル部を備え、このセンサ・表示パネル部には、前記センサ部と表示部との対が、列方向および行方向に並んで配置されていることを特徴とする請求項８に記載の入出力装置。
【請求項１７】
前記センサ部および表示部を有するセンサ・表示パネル部を備え、このセンサ・表示パネル部には、前記センサ部と表示部との複数対が一部の領域に配置され、残りの領域には複数の前記表示部が配置されていることを特徴とする請求項８に記載の入出力装置。
【請求項１８】
前記センサ部および表示部を有するセンサ・表示パネル部を備え、このセンサ・表示パネル部には、その列方向および行方向において、少なくとも１個のセンサ部と少なくとも１個の表示部とが交互に配置されていることを特徴とする請求項８に記載の入出力装置。
【請求項１９】
複数個の前記センサ部および表示部を有するセンサ・表示パネル部を備え、このセンサ・表示パネル部には、前記センサ部と前記表示部とが互いに異なる領域に集めて配置されていることを特徴とする請求項８に記載の入出力装置。